(57)【要約】      （修正有）【課題】家庭用のエレベータにおいて、停電時等の緊急時における昇降体の作動対策を簡単な構成で、かつ、操作性のよいものにする。【解決手段】  昇降体に、ブレーキ装置と調速機とを備えた開閉機２０を連動連結して、昇降体を開閉機２０の駆動に基づいて昇降路２内を昇降動するよう構成する一方、ブレーキ装置を構成するブレーキ軸にブレーキレバーを設け、該ブレーキレバーに連結した第一、第二作動ワイヤの操作に基づいてブレーキ装置を解放できるように構成する。【選択図】図１
2006151554.tif 000002
【特許請求の範囲】
【請求項１】
ブレーキ装置を備えた開閉機の駆動に基づいて住宅内の階下と階上とを連通して設けた昇降路内を昇降する昇降体を備えた家庭用エレベータにおいて、前記家庭用エレベータには、開閉機に連繋したブレーキ解放手段によるブレーキ装置の解放に伴い、昇降体を予め設定された停止位置に移動させる緊急作動手段が設けられている家庭用エレベータ。
【請求項２】
請求項１において、緊急作動手段は、ブレーキ装置の解放に伴う自重降下により、昇降体を階下の停止位置に移動するように構成されている家庭用エレベータ。
【請求項３】
請求項１または２において、ブレーキ解放手段は、ブレーキ装置を制動状態と解放状態とに切り換えるワイヤを備えて構成され、該ワイヤの引き操作に連繋してブレーキ解放がなされるように構成されている家庭用エレベータ。
【請求項４】
請求項３において、ワイヤは、先端部が昇降体内に引き込まれ、該引き込み端部に把持具が設けられている家庭用エレベータ。
【請求項５】
請求項４において、開閉機は、昇降路の上方に設けられるものとし、ワイヤをインナーワイヤとアウターワイヤとで構成し、ブレーキ装置から下方に延出するワイヤは、昇降体の昇降路内における位置にかかわらず上方に向けて引き回された状態で昇降体内に引き込まれている家庭用エレベータ。
【請求項６】
請求項３において、ワイヤは、開閉機配設部位に引出されている家庭用エレベータ。
【請求項７】
請求項１乃至４の何れかにおいて、ブレーキ解放手段は、ブレーキ装置に連結され、下方に延出する第一ワイヤと、一端が昇降体下端部に連結され、他端部が昇降路の下端部に軸承された第一プーリおよび前記第一ワイヤの下端部に軸承された第二プーリを経由して昇降体内に引き込まれる第二ワイヤとで構成され、前記昇降体内に引き込まれた第二ワイヤの下方への引き操作に基づいてブレーキ解放がなされるように構成されている家庭用エレベータ。
【発明の詳細な説明】
【技術分野】
【０００１】
本発明は、二階、三階建て等の一般住宅に設けられる家庭用エレベータの技術分野に属するものである。
【背景技術】
【０００２】
近年、一般住宅に家庭用エレベータを設け、高齢者や障害のある人が階下と階上とのあいだを自由に行き来できるようにして、快適な生活環境を提供できるようにすることが提唱されている。このような家庭用エレベータにおいても、モータの故障や停電等、開閉機が駆動しなくなってしまう非常事態における対策が必要となる。
【０００３】
このようなものとして、家庭用エレベータが設置された住宅の玄関等の出入り口部に昇降体（かご）内から解錠操作できる施錠装置を設ける一方、出入り口部における映像を昇降体内で表示できる表示装置と、昇降体内から保守員への連絡ができる連絡手段とを設けて、昇降体内に搭乗している人以外に住宅内に人がいなくても、外部の保守員を住宅内に誘導し、該保守員によって昇降体内から脱出できるように構成したものが提唱されている（特許文献１）。
さらには、エレベータ乗り場に手動降下スイッチを設けて、該手動降下スイッチの操作に基づいて、予め用意してある非常時用のバッテリを用いて昇降体を所定の停止位置に降下させるようにしたものが提唱されている（特許文献２）。
【特許文献１】特開平１０−２１８５１８号公報
【特許文献２】特開平１１−３２２２１２号公報
【発明の開示】
【発明が解決しようとする課題】
【０００４】
ところが、前者のものは、停電等の非常時に、昇降体内に人が閉じ込められたような場合に、保守員を呼んで対処するようにしたことに基づく提案であり、後者のものは、昇降体内に搭乗していない人が操作することにより緊急脱出ができるようにしたものであり、何れのものも昇降体内に搭乗している人は、このような非常時では、閉じ込められたまま救助されるのを待つ以外には何ら対処できないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ブレーキ装置を備えた開閉機の駆動に基づいて住宅内の階下と階上とを連通して設けた昇降路内を昇降する昇降体を備えた家庭用エレベータにおいて、前記家庭用エレベータには、開閉機に連繋したブレーキ解放手段によるブレーキ装置の解放に伴い、昇降体を予め設定された停止位置に移動させる緊急作動手段が設けられているものである。
そして、このようにすることにより、緊急時に、保守点検員を外部から呼ぶことなく使用者が昇降体を所定の停止位置にまで作動させることができ、使用者の不安感や恐怖感を低減できるうえ、別途バッテリを設ける必要もなく、構成を簡略化できる。
請求項２の発明は、請求項１において、緊急作動手段は、ブレーキ装置の解放に伴う自重降下により、昇降体を階下の停止位置に移動するように構成されているものであり、このようにすることにより、構成の簡略化を果せる。
請求項３の発明は、請求項１または２において、ブレーキ解放手段は、ブレーキ装置を制動状態と解放状態とに切り換えるワイヤを備えて構成され、該ワイヤの引き操作に連繋してブレーキ解放がなされるように構成されているものであり、このようにすることにより、バッテリを用いることなくブレーキ装置の開放ができて、部品点数を削減できて構成の簡略化を図れる。
請求項４の発明は、請求項３において、ワイヤは、先端部が昇降体内に引き込まれ、該引き込み端部に把持具が設けられているものであり、このようにすることにより、昇降体内に搭乗している人が自分で昇降体を緊急作動させることができる。
請求項５の発明は、請求項４において、開閉機は、昇降路の上方に設けられるものとし、ワイヤをインナーワイヤとアウターワイヤとで構成し、ブレーキ装置から下方に延出するワイヤは、昇降体の昇降路内における位置にかかわらず上方に向けて引き回された状態で昇降体内に引き込まれているものであり、このようにすることにより、昇降体の位置が何れの位置にいてもブレーキレバーの操作を確実に行うことができる。
請求項６の発明は、請求項３において、ワイヤは、開閉機配設部位に引出されているものであり、このようにすることにより、開閉機配設部位においてブレーキ装置の開放をして昇降体を所定の停止位置にまで作動させることができる。
請求項７の発明は、請求項１乃至４の何れかにおいて、ブレーキ解放手段は、ブレーキ装置に連結され、下方に延出する第一ワイヤと、一端が昇降体下端部に連結され、他端部が昇降路の下端部に軸承された第一プーリおよび前記第一ワイヤの下端部に軸承された第二プーリを経由して昇降体内に引き込まれる第二ワイヤとで構成され、前記昇降体内に引き込まれた第二ワイヤの下方への引き操作に基づいてブレーキ解放がなされるように構成されているものであり、このようにすることにより、昇降体内に搭乗している人が自分で昇降体を緊急作動させることができる。
【発明の効果】
【０００６】
請求項１の発明とすることにより、使用者の不安感や恐怖感を低減できるうえ、別途バッテリを設ける必要がなく、構成を簡略化できる。
請求項２の発明とすることにより、構成の簡略化を果せる。
請求項３の発明とすることにより、バッテリを用いることなくブレーキ装置の開放ができて、部品点数を削減できて構成の簡略化を図れる。
請求項４の発明とすることにより、昇降体内に搭乗している人が自分で昇降体を緊急作動させることができる。
請求項５の発明とすることにより、昇降体の位置が何れの位置にいてもブレーキレバーの操作を確実に行うことができる。
請求項６の発明とすることにより、開閉機配設部位においてブレーキ装置の開放をして昇降体を所定の停止位置にまで作動させることができる。
請求項７の発明とすることにより、昇降体内に搭乗している人が自分で昇降体を緊急作動させることができる。
【発明を実施するための最良の形態】
【０００７】
つぎに、本発明の実施の形態について、図１〜１０の図面に基づいて説明する。
図面において、１は二階建住宅室内の例えば玄関ホールに設けられた家庭用のエレベータであって、該エレベータ１は、最大乗員二名のコンパクト化された構成となっている。前記エレベータ１を構成する昇降路２は、一階床部から二階天井部に至る部位が連通する上下方向に長い矩形状に形成されており、下側から順に一階の空間（階下空間）に面する第一部位３、一階と二階のあいだの天井部空間に面する第二部位４、二階の空間（階上空間）に面する第三部位５のそれぞれに分割された構成となっている。そして、第一、第三部位３、５については、躯体（住宅）の壁面を一側面として利用し、三方を面板により覆蓋する構成となっている。
【０００８】
一階の空間に面する第一部位３の前側面には外扉６が設けられるが、該外扉６は、第一部位３を構成する一対の左右側片３ａ、３ｂのうち、右側側片３ｂの前縁部に蝶番６ａを介して支持されており、外扉６の左側縁部を戸先として前後方向に開閉するように構成されている。ここで、第一部位３の上下方向長さは、標準的な住宅の一階床面から一階天井面までの長さよりも短く寸法設定されており、該第一部位３を一階床面に設置固定したとき、上縁部は一階天井面と同じかそれよりも低位に位置するように寸法設定されている。
【０００９】
そして、第一部位３の一対の左右側片部３ａ、３ｂには、前後端縁部に位置して、前後一対の縦枠材（以降、前枠材、後枠材）７、８が設けられており、左右に位置する後縦枠材８の内側面には、内方に突出する前後一対の突片により構成される第一、第二ガイド片８ａ、８ｂが一体に形成されている。さらに、後縦枠材８の後方に位置する第二ガイド片８ｂの突出先端部には、後方に延出する突片により構成される第三ガイド片８ｃが一体形成されている。
一方、左右の前縦枠材７には、内方に突出形成された突片７ａの基端部と先端部とから後方に延出された突片により構成される第四、第五ガイド片７ｂ、７ｃとが一体形成されている。さらに、左側片部３ａの前枠材７には、前端縁から内方に向けて突出する突片により第六ガイド片７ｄが一体形成されている。
【００１０】
一方、第二部位４は、第一部位左右側片部３ａ、３ｂに連結される左右一対の左右側片部４ａ、４ｂと、左右側片部４ａ、４ｂの前端縁部を連結する前パネル体４ｃとを備えて構成されている。そして、第二部位４の上下長さ寸法は、標準的な二階床面高さから第一部位３の上下長さを差し引いた長さ寸法と同じかそれよりも長く、標準的な天井高さから第一部位３の上下長さを差し引いた長さ寸法に、一階天井面から二階床面までの長さ寸法、即ち一階天井部の高さ寸法を加えた長さと同じかそれよりも短い長さ寸法に設定されている。
また、第二部位左右側片部４ａ、４ｂの前後端縁部は、前記第一部位左右側片部３ａ、３ｂと同様の構成となっており、前後に一対の縦枠材９、１０が一体的に連結されている。そして、前後の縦枠材９、１０には、前記第一部位３の前後縦枠材８、９と同様に構成されており、第一部位前縦枠材７の突片７ａおよび第一〜第六ガイド片８ａ、８ｂ、８ｃ、７ｂ、７ｃ、７ｄに上下方向に連続（連通）する状態で、突片９ａおよび第一〜第六ガイド片１０ａ、１０ｂ、１０ｃ、９ｂ、９ｃ、９ｄがそれぞれ形成されている。
【００１１】
二階の空間に面する第三部位５は、第二部位左右側片部４ａ、４ｂに連結される左右一対の左右側片部５ａ、５ｂを備えて構成されている。そして、左右側片部５ａ、５ｂの前端縁部に外扉６が設けられるが、該外扉６は、前記第一部位３に設けられる外扉６と同様の構成であって、右側縁部が蝶番６ａを介して右側片部５ｂに枢支され、左側縁部を戸先として前後方向に開閉するように構成されている。ここで、第三部位５の上下方向長さは、標準的な住宅の二階床面から二階天井面までの長さよりも短く寸法設定されており、左右側片部５ａ、５ｂの上端部と二階天井面とのあいだに、後述する駆動ボックス１１を配設するスペースが確保できる高さになるように構成されている。
【００１２】
そして、前記一対の左右側片部５ａ、５ｂは、前記第一、第二部位３、４と略同様の構成となっており、前後端縁部に上下方向を向く前後一対の縦枠材１２、１３とを備えて構成されている。これら前後の縦枠材１２、１３は、それぞれ前記第一、第二部位３、４を構成する各縦枠材７、８、９、１０と同様のものとなっており、第一、第二部位縦枠材７、８、９、１０の突片７ａ、９ａおよび第一〜第六ガイド片８ａ、８ｂ、８ｃ、１０ａ、１０ｂ、１０ｃ、７ｂ、７ｃ、７ｄ、９ｂ、９ｃ、９ｄに上下方向に連続（連通）する状態で、突片１２ａおよび第一〜第六ガイド片１３ａ、１３ｂ、１３ｃ、１２ｂ、１２ｃ、１２ｄがそれぞれ形成されている。
【００１３】
一方、１４は昇降路２内を上下移動するボックス状に形成された昇降体（エレベータケージ）であって、該昇降体１４は上下片部１４ａ、１４ｂ、そして、左右側片部１４ｃ、１４ｄ、さらには、後側片部１４ｅにより囲繞される構成となっている。これら各片部１４ａ、１４ｂ、１４ｃ、１４ｄ、１４ｅは、それぞれ昇降路２を構成する前記第一、第二、第三部位３、４、５の内側面に近接対向する寸法に設定されている。そして、後側片部１４ｅと左右側片部１４ｃ、１４ｄの後端縁部との連結部、即ち、昇降体１４の後方に位置する左右二つの隅部は、Ｒ状に折曲形成された連結枠材１４ｆにより一体的に連結されている。また、左右側片部１４ｃ、１４ｄの前端縁部には、それぞれ前枠材１４ｇが設けられており、これら前枠材１４ｇのうち、右側前枠材１４ｇに、昇降体１４の前側片を構成する内扉１５の右側端縁部が上下方向に複数配される蝶番１５ａを介して連結されており、内扉１５の左側縁部が前記右側縁部を基準として前後方向に揺動することで、昇降体１４の開閉をするように設定されている。
【００１４】
そして、内扉１５には連結受け部１５ｂが設けられる一方、第一、第三部位３、５に開閉自在に設けられた外扉６には連結ピン６ｂが設けられており、昇降体１４が一階部位、あるいは、二階部位の予め設定される停止位置である第一、第二停止位置においてそれぞれ停止したとき、連結ピン６ｂが内扉１５の扉面に沿って設けられた連結受け部１５ｂに左右方向移動自在な状態で嵌入するように設定されており、これによって、内扉１５と外扉６との連結がなされて一体に開閉揺動するように構成されている。
【００１５】
そして、昇降体１４の後方に位置する左右の隅部に配された連結枠材１４ｆには、上下方向複数箇所に位置して、各部位３、４、５の第一、第二ガイド片８ａ、８ｂ、１０ａ、１０ｂ、１３ａ、１３ｂに案内される第一ガイドローラ１６が左右方向外方に向けて突出する状態で回転自在に設けられている。さらに、連結枠材１７ｆには、上下方向複数箇所に位置して、第三ガイド片８ｃ、１０ｃ、１３ｃに案内される第二ガイドローラ１７が後方に向けて突出する状態で回転自在に設けられている。また、左右の前枠材１４ｇの前端面には、上下方向複数箇所に位置して、第四、第五ガイド片７ｂ、７ｃ、９ｂ、９ｃ、１２ｂ、１２ｃに案内される第三ガイドローラ１８が前方に向けて突出する状態で回転自在に設けられている。これによって、昇降体１５を平面視したとき、昇降体１７の四隅部位（各コーナー部）に、第一〜第三ガイドローラ１６、１７、１８がそれぞれ配されるように構成されている。そして、第一〜第三ガイドローラ１６、１７、１８が第一〜第五ガイド片８ａ、８ｂ、８ｃ、７ｂ、７ｃ、１０ａ、１０ｂ、１０ｃ、９ｂ、９ｃ、１３ａ、１３ｂ、１３ｃ、１２ｂ、１２ｃによる移動案内を受けることにより、昇降体１５は前後方向の動きを規制され（振れ止めされ）、および、左右方向の動きを規制され（振れ止めされ）た状態で昇降路２を上下昇降動するように設定されている。
【００１６】
また、昇降体１４の内扉１５の戸先端面には、上下方向複数箇所に位置して、左側に突出する第四ガイドローラ１９が設けられており、該第四ガイドローラ１９は、第六ガイド片７ｄ、９ｄ、１２ｄと突片７ａ、９ａ、１２ａの先端部により構成される第七ガイド片とのあいだに嵌入して移動案内を受けるように設定されている。一方、第一、第三部位３、５の第六ガイド片７ｄ、１２ｄには、昇降体１４が一階または二階の第一、第二停止位置において停止した状態の第四ガイドローラ１９の前方への揺動を許容するための切り欠き（図示せず）が形成されている。これによって、昇降体１４の内扉１５は、昇降体１４の上下昇降動に際しては、第六ガイド片７ｄ、９ｄ、１２ｄと突片７ａ、９ａ、１２ａによる移動案内を受けることにより前後方向への揺動（開放揺動）を規制され、昇降体１４の第一、第二停止位置においては、切り欠きを介して前方への開放揺動が許容されるように設定され、内扉１５を閉鎖姿勢に保持するための手段を不要にするように構成されている。
【００１７】
一方、前記駆動ボックス１１には、図示しないブレーキ装置を備えた開閉機２０と、三本のベルト体２１が前後方向に並列して巻装された巻装装置２２とが左右方向に並んで設けられている。前記開閉機２０は、駆動軸２０ａを前方に向けて突出する状態で配設されており、該駆動軸２０ａと巻装装置２２の回転軸２２ａとが同方向を向いて互いに平行状に配設され、これらのあいだが図示しない連結手段を介して連動連結されている。前記巻装装置２２は、回転軸２２ａに一体的に外嵌される巻装体２２ｂに、前後方向に並列して三本のベルト体２１の基端部が巻装されており、これらベルト体２１のそれぞれの巻き出し端部は、昇降体１４の上片部１４ａに一体的に連結され、これによって、ベルト体２１が昇降体１４を吊持するように構成されている。そして、開閉機２０が正逆回転駆動することに基づいて巻装装置２２の回転軸２２ａが正逆回転することにより、ベルト体２１が巻装体２２ｂから巻き取り、巻き出しされ、これに基づいて昇降体１４は上下に昇降動し、前述した一階に面する第一停止位置と、二階に面する第二停止位置とのあいだを連絡するように設定されている。
【００１８】
ここで、前記三本のベルト体２１のうち、前後方向中央に位置するベルト体２１ａは、予め弛みを設けて昇降体１４に連結されており、通常の使用時では、前後一対のベルト体２１が昇降体１４を吊持して上下昇降動せしめ、中央のベルト体２１ａは昇降動に関与しないように設定されており、中央のベルト体２１ａは、前後のベルト体２１の何れかが切断した場合に昇降体１４を吊持する緊急吊持体として機能するように構成されている。尚、２１ｂは、中央のベルト体２１ａの弛みを吸収するための弾機である。
また、２１ｂは、巻装装置２２のベルト体２１巻き出し部に設けられた弛み検知装置であって、該弛み検知装置２１ｂは、前後のベルト体２１の緊張状態が変化することに基づいて検知信号を出力して、開閉機２０の駆動を緊急停止するように構成されている。
【００１９】
尚、前記開閉機２０は、前述したように、ブレーキ装置を備えて構成されており、通常の使用状態では、開閉機２０の駆動状態に基づいてブレーキ装置を開放、または、制動状態に自動的に切り換えるように設定されている。そして、駆動時ではブレーキ装置を解放状態として昇降体１４を上下昇降動をせしめ、駆動停止時ではブレーキ装置を制動状態として昇降体１４の停止姿勢を保持するように設定されている。そして、停電や故障が生じた場合に、開閉機２０はブレーキ装置が制動状態となったままとなり、昇降体１４が第一、第二停止位置以外の位置で停止状態となることがある。そこで、本実施の形態の開閉機２０は、ブレーキ装置を構成するブレーキ軸２３に連繋するブレーキレバー２４が設けられており、該ブレーキレバー２４を手動操作することにより、ブレーキ装置を制動状態から解放状態に切り換えることができるように構成されている。そして、ブレーキレバー２４の操作に基づく手動によるブレーキ解放を行うことにより、昇降体１４は、開閉機２０に連動連結される巻装装置２２の回転軸２２ａに内装された調速機により調速された状態で自重降下をし、これによって、昇降体１４が一階に面する第一停止位置に停止するように構成されており、該構成が本発明の緊急作動手段に相当している。
【００２０】
つまり、ブレーキレバー２４はＬ字形状に形成されており、該ブレーキレバー２４の一側片２４ａの先端部がブレーキ軸２３に一体的に連結されている。そして、前記ブレーキレバー２４は、一側片２４ａがブレーキ軸２３の直上方向に延出し他側片２４ｂが後方に延出する姿勢をブレーキレバー２４の制動姿勢とし、該制動姿勢ではブレーキ装置を制動状態とするように設定されている。一方、ブレーキレバー２４が前記制動姿勢から下方揺動した姿勢をブレーキレバー２４の解放姿勢とし、該解放姿勢では、前記制動状態からブレーキ軸２３が回転せしめられて、ブレーキ装置を解放状態とするように設定されている。
【００２１】
そして、前記ブレーキレバー２４の他側片２４ｂの先端部（ブレーキレバー先端部）２４ｃには、保持用ワイヤ２５の基端部が連結されており、該保持用ワイヤ２５の先端部２５ａは、駆動ボックス１１の後端部上方に設けた第一方向転換ローラ１１ａを経由して前方に延出され、弾機２５ｂを介して駆動ボックス１１の前端部上方に固定されている。これによって、ブレーキレバー２４は、弾機２５ｂの付勢力を受ける状態で制動姿勢を保持するように設定されている。
一方、ブレーキレバー他側片２４ｂの先端部２４ｃには、第一作動ワイヤ２６の基端部が連結されており、該作動ワイヤ２６の先端２６ａは、駆動ボックス１１の後端部下方に設けた第二方向転換ローラ１１ｂを経由して前端部下方に引き回され、駆動ボックス１１の前面１１ｃから前方に引き出されるように設定されており、該前方への引き出し部位が第一操作部２６ｂに設定されている。さらに、第一操作部２６ｂの引き出し端部には、リング状の第一把持具２６ｃが連結されている。尚、前記第一作動ワイヤ２６は、駆動ボックス１１に設けられた前後一対の支持片１１ｄ、１１ｅを貫通して前方に引出されており、これら支持片１１ｄ、１１ｅ間に位置する第一作動ワイヤ２６の外周には、支持片１１ｄ、１１ｅによる移動規制を受ける状態でアウターワイヤ２６ｄが外嵌されている。
そして、第一把持具２６ｃを把持し、前記弾機２５ｂの付勢力に抗して前方に引っ張り操作することに基づいて、ブレーキレバー２４を下方揺動させる（解放姿勢に変姿させる）ことができるように設定されている。
【００２２】
一方、第一作動ワイヤ２６の第二方向転換ローラ１１ｂ巻回部位には、第二作動ワイヤ２７の基端部が連結されていて、先端部が第二方向転換ローラ１１ｂから該第二方向転換ローラ１１ｂの支持片１１ｆ、駆動ボックス下片１１ｇを貫通して、直下方向に自然垂下する状態で延出するように設定されており、該先端部が第二操作部２７ａに設定されている。
また、前記昇降体１４の後側片部１４ｅには、左側における上下二箇所にワイヤ案内体２８が設けられており、該ワイヤ案内体２８に設けられたループ状の挿通部２８ａに、前記下方に自然垂下する第二操作部２７ａが移動自在に挿通されるように位置設定されている。そして、下方に引き出された第二操作部２７ａは、第一停止位置に位置する昇降体１４の下方において上方に向けて湾曲状に折り返されて上側を向くように引き回されている。
【００２３】
さらに、昇降体後側片部１４ｅには、右側下方に位置して昇降体１４の内外を貫通する矩形状の貫通孔１４ｈが開設されており、該貫通孔１４ｅに、収容ボックス２９が一体的に嵌着されている。そして、前記昇降体後側片部１４ｅの後方において折り返し状に引き回されて上側を向く第二操作部２７ａは、収容ボックス下片２９ａを貫通して収容ボックス２９内に引き出されるように設定されている。尚、第二作動ワイヤ２７は、駆動ボックス支持片１１ｆと収容ボックス下片２９ａとのあいだにおいてアウターワイヤ２７ｂが外嵌しており、該アウターワイヤ２７ｂは、前記支持片１１ｆと収容ボックス下片２９ａによる支持を受けており、後述するように、第二作動ワイヤ２７が引き操作されたときにアウターワイヤ２７ｂのワイヤ長の規制をすることで、第二作動ワイヤ２７のアウターワイヤ２７ｂに対する相対移動が可能となるように設定されている。
さらに、収容ボックス２９内に引き込まれた第二操作部２７ａの引き出し端部２７ｃには、Ｔ字形状の第二把持具２７ｄが一体的に連結されている。
そして、第二把持具２７ｄを把持し、前記弾機２５ｂの付勢力に抗して上方に引っ張り操作することに基づいて、アウターワイヤ２７ｂに対して第二操作部２７ａが相対移動してブレーキレバー２４を下方揺動させる（解放姿勢に変姿させる）ことができるように設定されている。
尚、第二把持具２７ｄは、収容ボックス２９内に設けた支持アーム２９ｂに弾持されている。また、２９ｃは収容ボックス２９を覆蓋する蓋体であって、緊急時に、蓋体２９ｃを開けて収容ボックス２９を開放し、第二把持具２７ｄを支持アーム２９ｂから取り外して上方に引っ張ることで、ブレーキ解放操作を行えるように設定されている。
【００２４】
この場合に、第二操作部２７ａの全長は、図１に示すように、昇降体１４が一階に面する第一停止位置に位置しているときに、上側への折り返し部となる湾曲状部が収容ボックス２９より下方位置で、しかも、一階床面よりは上方となる位置となるような長さに設定されている。そして、昇降体１４が第一停止位置と二階に面する第二停止位置とのあいだを変位する場合に、第二操作部２７ａの繰り出し量（アウタワイヤ２７ｂの長さ）は変化することがなく、第二操作部２７ａの収容ボックス２９から引出された引き出し端部２７ｃが昇降体１４とともに一体的に上下変位するように構成されている。このため、昇降体１４の上下変位に合わせて、昇降体１４の背後に引き回されている第二作動ワイヤ２７は、湾曲状となる折り返し位置が上下変位するが、このとき、ワイヤ案内体２８の挿通部２８ａを相対移動する状態でガイドを受けていて、第二作動ワイヤ２７が昇降路内で引っ掛かる等して自然垂下状態が損なわれることがなく、もって、第二操作部２７ｃの引き操作が損なわれることがなく、ブレーキ装置の解放ができなくなるような不具合がないように構成されている。これによって、昇降体１４が第一停止位置と第二停止位置とのあいだの何れの箇所に位置しているとしても、第二操作部２７ａの湾曲形状が変形したり折れ曲がったりすることなく維持されて、第二操作部２７ａが収容ボックス２９内に上方に向けて引き出される姿勢を損なわれることがなく、アウターワイヤ２７ｂに対する第二操作部２７ａの相対移動が難しくなるような不具合がないように設定され、これによって、第二把持具２７ｄを用いた引き操作に基づく第二ブレーキ解放手段によるブレーキ解放が円滑に行えるように構成されている。
【００２５】
このように、ブレーキレバー２４に第一、第二作動ワイヤ２６、２７が連繋された開閉機２０の駆動により上下昇降動する家庭用のエレベータ１において、停電や開閉機２０の故障に基づいて開閉機２０が駆動停止し、昇降体１４が第一、第二停止位置以外の位置に停止したような場合に、第一、第二操作部２６ｂ、２７ａの何れか一方を、対応する第一、第二把持具２６ｃ、２７ｃを用い、弾機２５ｂの付勢力に抗して強く引き操作することにより、開閉機２０に設けられたブレーキレバー２４を下方揺動させて（解放姿勢に変姿させて）ブレーキ装置を解放することができる。そして、このようにブレーキ装置を解放状態とすることにより、本実施の形態の開閉機２０は、昇降体１４の自重に基づいて調速機による調速を受けながら下動するように設定されており、これによって、ブレーキ解放に伴い昇降体１４を一階に面する第一停止位置に停止させることができるように設定されている。尚、第一停止位置において、昇降体１４は昇降路２の下面を構成する一階床面に接地するように設定されており、昇降体１４は床面との接地をもって自重降下を停止するように設定されている。
【００２６】
そして、搭乗者がいない状態で停電等になった場合では、居住者が二階から第一操作部２６ｂを引き操作することにより、昇降体１４を第一停止位置に位置させることができる。これに対し、人が昇降体１４の中に閉じ込められてしまったような場合では、図８に示すように、昇降体１４の中に設けられた収容ボックス２９の蓋体２９ｃを開放し、第二把持具２７ｄを支持アーム２９ｂから取り外して上方に引き上げるように操作すればよく、このようにすることで、第二操作部２７ａがアウターワイヤ２７ｂに対して相対移動する状態で引き操作されて、ブレーキ装置を解放することができ、昇降体１４内の人が自分で昇降体１４を所定の停止位置にまで位置させることができるように構成されている。
尚、ブレーキレバー２４は、第一、第二操作部２６ｂ、２７ａの引っ張り操作を継続しているあいだはブレーキ開放状態となっており、第一、第二操作部２６ｂ、２７ａの引き操作を解除することにより、弾機２５ｂの付勢力を受けて制動姿勢に復帰するように設定されている。このため、昇降体１４内で緊急停止してしまったような場合、搭乗者は第二把持具２７ｄを介した第二操作部２７ａの引き操作を、昇降体１４が第一位置に達するまで継続する必要があるが、この場合に、第二操作部２７ａは、引き出される姿勢が維持されており、かつ、アウターワイヤ２７ｂの長さが一定であるため、昇降体１４のブレーキ装置からの距離が変化するものでありながら引き操作量を一定とすることができ、第二操作部２７ａの引き操作を継続して行う作動を容易に行うことができて、操作性よく昇降体１４を第一位置に位置させることができる。
【００２７】
さらに、本実施の形態の家庭用のエレベータ１において、昇降体１４が第一、第二何れかの停止位置に停止したとき、昇降路２に配される外扉６と昇降体１４に配される内扉１５とは、前述したように、一体に開閉作動するように構成されている。しかも、一、二階にそれぞれ配される各外扉６は、昇降路２を構成する第一、第三部位３、５の左側片３ａ、５ａとのあいだに電気錠３０がそれぞれ設けられている。このため、停電等の緊急時に、昇降体１４を第一停止位置に停止させることができたとしても、電気錠３０が解錠されないため昇降体１４からの脱出ができない。そこで、本実施の形態の電気錠３０には、手動による解錠手段が設けられており、該手動解錠することにより昇降体１４から緊急脱出できるように構成されている。
【００２８】
まず、電気錠３０の構成について説明する。
前記各外扉６に配される電気錠３０は、同様の構成のものが各外扉６の戸先側板厚内にそれぞれ内装されている。これら電気錠３０を構成するロック片３０ａは、外扉６の戸先から突出し、昇降路第一、三部位３、５を構成する左側片３ａ、５ａの縦枠体３ｃ、５ｃに配された錠受け孔３ｄ、５ｄに係止することにより外扉６の施錠を行うように設定されている。そして、前記ロック片３０ａは、戸尻側に配される支持ボディー３０ｂに内装されるロック片作動体（図示せず）により支持されているが、ロック片作動体は左右方向移動自在に設けられており、戸先側に位置するロック片作動体の施錠位置では、ロック片３０ａを、錠受け穴３ｄ、５ｄに係止する突出姿勢と戸尻側に変位して錠受け孔３ｄ、５ｄとの係止を解除する退避姿勢とのあいだを変姿自在な状態とする一方、戸尻側に位置するロック片作動体の解錠位置では、ロック片３０ａを、外扉６の開閉方向（内外方向）揺動自在に支持して、ロック片３０ａが錠受け孔３ｄ、５ｄとの係止を解除するように設定されている。前記ロック片作動体は、支持ボディー３０ｂに開設された左右方向に長い貫通孔３０ｃを挿通する連結ピン３０ｄに支持されており、該連結ピン３０ｄに、ソレノイド３０ｅの励磁に伴い戸尻側に退避する作動アーム３０ｆが連結されている。尚、３０ｇは作動アーム３０ｆを戸先側に向けて付勢し、ロック片作動体を施錠位置に弾持する付勢弾機である。
【００２９】
そして、ソレノイド３０ｆの非通電状態において、ロック片作動体は付勢弾機３０ｇの付勢力を受けて施錠位置となっていてロック片３０ａを突出姿勢としているが、外扉６が開放状態から閉鎖することに伴い、ロック片３０ａに形成された傾斜面が錠受け孔３ｄ、５ｄの孔縁にガイドされる状態で退避姿勢に変姿して錠受け孔３ｄ、５ｄとの施錠がなされ、該施錠状態が保持されるように設定されている。そして、このロック片３０ａの施錠状態において、ソレノイド３０ｅに通電がなされると、作動アーム３０ｆの退避作動に基づいてロック片作動体が付勢弾機３０ｇの付勢力に抗して戸尻側に引き操作されて退避位置に変位し、これによって、ロック片３０ａは前後方向揺動自在な状態となるように設定されている。そして、この状態となると、外扉６を開放方向に押しやることにより、ロック片３０ａが錠受け孔３ｄ、５ｄの孔縁に押しやられる状態で揺動して、錠受け孔３ｄ、５ｄとの係止を解除するように設定されている。
【００３０】
前記電気錠３０は、通常の使用状態において、外扉６の開放操作をするべく操作スイッチを操作することに基づいてソレノイド３０ｅが励磁されて解錠する構成となっており、操作スイッチによる操作がない場合、あるいは、停電等により操作スイッチが操作不能になった状態では、ソレノイド３０ｅが非励磁状態となるため電気錠３０が施錠状態のままとなる。そこで、本実施の形態のエレベータ１には、電気錠３０を手動で解錠するための解錠ユニット３１が設けられている。
つまり、外扉６の内側面６ｃには、電気錠３０の連結ピン３０ｄ配設部位に対向して左右方向所定長さに設定された長孔が開設されている。さらに、外扉内側面６ｃの長孔形成部位には、解錠ユニット３１が設けられており、ここに、前記長孔を介して連結ピン３０ｄの左側に当接する当接片３２ａが折曲形成された解錠プレート３２が左右方向移動自在な状態で設けられている。そして、解錠プレート３２は、内扉１５に前後方向貫通状に開設された貫通孔（図示せず）、解錠ユニット３１に開設された操作孔３１ａを介して挿し込まれた操作ピン３３の先端を、前記操作孔３１ａに連通して開設された解錠プレート３２の操作孔３２ｂに差し込み、該挿し込んだ状態で操作ピン３３を右側に押しやることで右側に強制変位するように設定されている。このように、解錠プレート３２を右側に強制変位せしめることにより、当接片３２ａが連結ピン３０ｄが右側に変位せしめられ、これによって、連結ピン３０ｄとともにロック片作動体が解錠位置に変位して、電気錠３０を手動開放するように構成されている。
また、操作ピン３３は、前記第二把持具２７ｄが収容される収容ボックス２９内等、昇降体１４内の通常時では邪魔にはならないが緊急時に手にしやすい箇所に配設されている。
【００３１】
尚、３４は、第一、第三部位３、５の錠受け孔３ｄ、５ｄに設けられた閉鎖確認検知スイッチであって、該閉鎖確認検知スイッチ３４は、電気錠３０のラッチ片３０ａが錠受け孔３ｄ、５ｄに係止されることに伴いスイッチ切り換えされるように構成され、これによって、外扉６の閉鎖確認を行えるように設定されている。
尚、３５は、第一、第三部位３、５に設けられた押圧体であって、該押圧体３５は外扉６を常時開放側に向けて付勢しており、電気錠３０の解錠に伴い外扉６を押圧することにより、開閉方向揺動自在となった電気錠３０のロック片３０ａを揺動せしめて、外扉６の開放を円滑に行うように設定されている。
【００３２】
叙述の如く構成された本形態において、エレベータ１は、図示しない操作スイッチの操作に基づいて巻装装置２２によるベルト体２１の巻き取り、巻き出しがなされ、これによって、昇降体１４が昇降路２内を上下昇降動して一階と二階との各第一、第二停止位置とのあいだ連絡をする。このものにおいて、昇降体１４に人が搭乗している状態において、停電や開閉機２０の故障等により、昇降体１４が予め設定される第一、第二停止位置以外の位置に停止してしまったような場合に、前述したように、昇降体１４の中に設けられた収容ボックス２９の蓋体２９ｃを開放して、ブレーキ解放手段を構成する第二把持具２７ｄを上方に引き上げる操作を行うことで、ブレーキ装置が解放され、昇降体１４が調速機による調速を受ける状態で自重に基づいて、予め設定される停止位置に停止させる緊急作動手段を実行することができる。このように、緊急時に、使用者により昇降体１４を所定の停止位置に停止させることができるので、搭乗者に不安感を抱かせることを回避できるばかりでなく、保守管理のための作業員をわざわざ呼び出したりする等の手間や時間をかけることがなく、操作性の向上を図れる。そのうえ、開閉機２０に設けたブレーキレバー２４を手動操作する構成であるので、緊急作動用のバッテリを不要にすることができて、部品点数の削減を果すことができて構成の簡略化が図れる。
【００３３】
そして、このものでは、中途位置に停止する昇降体１４を、昇降体１４の自重に基づいて、一階の床面に接地する第一停止位置において停止させることができるので、使用者への不安感を一掃払拭することができるうえ、構成を簡略化を図ることができる。
【００３４】
さらにこのものでは、ブレーキレバー２４に連繋された第二作動ワイヤ２７を昇降体１４内に引き込み、該引込み端部２７ｃに第二把持具２７ｄを設ける構成として、昇降体１４の中での緊急作動手段を実行できるようにしたので、昇降体１４内に閉じ込められたような場合であっても、外部の人の力を借りることなく、昇降体１４を所定の停止位置に停止させることができて、一層の操作性の向上を果せる。
【００３５】
そのうえ、このものでは、ブレーキ装置を解放するブレーキレバーに連繋される第二作動ワイヤ２７を昇降体１４の中に引き込む場合に、第二作動ワイヤ２７は、自然状態で垂下するものを上方に向けて折り返し、その折り返し端部を昇降体１４内に引き込む構成とし、上方に向けて第二作動ワイヤ２７を引き操作することでブレーキレバー２４が操作される構成としたので、昇降体１４が第一、第二停止位置のあいだの何れの箇所に位置していても、ワイヤ２７の操作方向を一定であり、第二操作部２ｃを引き操作しているあいだはブレーキ装置を解放した状態とすることができる。しかも、第二作動ワイヤ２７は、ワイヤ案内体２８による案内を受ける構成としたので、第二操作部２７ａが引っ掛かったり、湾曲形状が小さくなったり、変形したり、さらには、折れ曲がってしまうような不具合を防止することができ、ブレーキ装置の解放操作を損なうことなく円滑かつ確実に行うことができる。
【００３６】
さらに、このものでは、ブレーキレバー２４には、駆動ボックス１１の前面１１ｃから前方に引き出された第一操作部２６ｂが連繋されていて、駆動ボックス１１配設部位における第一把持具２６ｃの引き操作によっても、ブレーキ装置の解放を行うことができ、無人の状態で昇降体１４が停止したようなときであっても、昇降体１４を所定の停止位置に停止させることができて、外部から作業員を呼ぶような面倒をなくすことができて操作性に優れる。
【００３７】
尚、本発明は前記実施の形態に限定されないことは勿論であって、図１１に示す第二の実施の形態のように構成することもできる。
前記第二の実施の形態におけるブレーキ解放手段は、ブレーキ装置の図示しないブレーキレバーに連結され、下方に延出する第一ワイヤ３６と、一端が昇降体１４下端部に連結され、他端部が昇降路２の下端部に軸承された第一プーリ３７および前記第一ワイヤ３６の下端部に軸承された第二プーリ３８を経由して昇降体１４内に引き込まれる第二ワイヤ３９とで構成されている。そして、前記第二プーリ３８は、昇降路２とのあいだに弾機３８ａを介して支持されており、昇降体１４に第二ワイヤ３９を連結した状態で、第二ワイヤ３９が緊張状態となるように配設されている。そして、通常の昇降体１４の昇降動では、第二ワイヤ３９は、弾機３８ａに抗して第二プーリ３８を下動させることなく昇降体１４の昇降動に伴い第一プーリ３７と第二プーリ３８とのあいだを変位するように設定されている。そして、前記昇降体１４内に引き込まれた第二ワイヤ３９の先端部３９ａを弾機３８ａの付勢力に抗して下方に引き操作した場合では、第二プーリ３８が下動して第一ワイヤ３６を下方に引き操作し、これ基づいてブレーキ解放がなされるように設定されている。そして、前記引き操作に基づいて、昇降体１４は、該昇降体１４の自重に基づいて調速機による調速を受ける状態で下降し、一階に面する第一停止位置に移動するように構成されている。
尚、通常の昇降体１４の昇降動では、第二ワイヤ３９が第一、第二３７、３８を介して変位する状態となっている。
【００３８】
さらに、緊急作動手段における昇降体の停止位置としては、予め昇降体に錘体を連結して、該錘体を、上方に設けたプーリを介して垂下せしめ、開閉機のブレーキ装置が解除されたとき、昇降体の自重を上回る錘体の荷重に基づいて上昇し、昇降体を二階に面する第二停止位置において停止させる構成とすることも可能である。
【図面の簡単な説明】
【００３９】
【図１】図１（Ａ）、（Ｂ）はそれぞれ家庭用エレベータの前方部位を切り欠いた正面図、側面図である。
【図２】家庭用エレベータの平面断面図である。
【図３】家庭用エレベータの要部拡大平面図である。
【図４】内扉と外扉とを開放した家庭用エレベータの要部拡大平面図である。
【図５】図３のＸ−Ｘ断面図である。家庭用エレベータの要部拡大平面断面図である。
【図６】図６（Ａ）、（Ｂ）はそれぞれ開閉機の前方部位を切り欠いた正面時、図６（Ａ）の側面図である。
【図７】図１（Ａ）の要部拡大図である。
【図８】ブレーキ解放手段を説明する斜視図である。
【図９】図９（Ａ）、（Ｂ）はそれぞれ図３の要部拡大図、電気錠を説明する正面図である。
【図１０】図１０（Ａ）、（Ｂ）はそれぞれ昇降路の錠受け孔部位を説明する平面断面図、側面図である。
【図１１】第二の実施の形態を説明する家庭用エレベータのパターン化された概略側面図である。
【符号の説明】
【００４０】
１    エレベータ
２    昇降路
３    第一部位
６    外扉
１１    駆動ボックス
１４    昇降体
１５    内扉
２０    開閉機
２１    ベルト体
２２    巻装装置
２３    ブレーキ軸
２４    ブレーキレバー
２５    保持用ワイヤ
２６    第一作動ワイヤ
２６ｂ    第一操作部
２７    第二作動ワイヤ
２７ａ    第二操作部
２７ｄ    第二把持具
２８    ワイヤ案内体
２９    収容ボックス
３０    電気錠
【図１】
2006151554.tif 000003
【図２】
2006151554.tif 000004
【図３】
2006151554.tif 000005
【図４】
2006151554.tif 000006
【図５】
2006151554.tif 000007
【図６】
2006151554.tif 000008
【図７】
2006151554.tif 000009
【図８】
2006151554.tif 000010
【図９】
2006151554.tif 000011
【図１０】
2006151554.tif 000012
【図１１】
2006151554.tif 000013